(57)【特許請求の範囲】
【請求項１】
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む制御装置出力スタンバイ指示、及び、制御装置出力送出指示を送信する制御装置と、
前記制御装置が送信した前記制御装置出力スタンバイ指示を取得し、取得した前記制御装置出力スタンバイ指示に含まれる前記放送予定ＣＭ素材識別情報で特定される前記ＣＭ素材の放送の可否を判定し、判定結果に応じた判定装置出力スタンバイ指示を前記ＣＭバンクに送信する判定装置と、
を有し、
前記制御装置は、前記判定装置及び前記ＣＭバンクに前記制御装置出力スタンバイ指示を送信し、
前記ＣＭバンクは、前記制御装置により送信された前記制御装置出力スタンバイ指示を取得すると、前記制御装置出力スタンバイ指示に含まれる前記放送予定ＣＭ素材識別情報で特定される前記ＣＭ素材を送出するスタンバイを行い、
前記判定装置は、
前記制御装置が送信した前記制御装置出力スタンバイ指示を受信する受信手段と、
前記受信手段が受信した前記制御装置出力スタンバイ指示に含まれる前記放送予定ＣＭ素材識別情報で特定される前記ＣＭ素材の放送の可否を、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき判定する判定手段と、
前記判定手段が放送不可と判定した場合、差替えＣＭ素材の前記ＣＭ素材識別情報を含む前記判定装置出力スタンバイ指示を前記ＣＭバンクに送信する差替手段と、
を有し、
前記ＣＭバンクは、前記差替手段により送信された前記判定装置出力スタンバイ指示を取得すると、前記制御装置出力スタンバイ指示に基づきスタンバイしている前記ＣＭ素材を、前記差替えＣＭ素材に差し替え、
前記制御装置出力スタンバイ指示は、前記制御装置が出力する前記スタンバイ指示であり、
前記制御装置出力送出指示は、前記制御装置が出力する前記送出指示であり、
前記判定装置出力スタンバイ指示は、前記判定装置が出力する前記スタンバイ指示である送出システム。
【請求項２】
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む制御装置出力スタンバイ指示、及び、制御装置出力送出指示を送信する制御装置と、
前記制御装置が送信した前記制御装置出力スタンバイ指示を取得し、取得した前記制御装置出力スタンバイ指示に含まれる前記放送予定ＣＭ素材識別情報で特定される前記ＣＭ素材の放送の可否を判定し、判定結果に応じた判定装置出力スタンバイ指示を前記ＣＭバンクに送信する判定装置と、
を有し、
前記制御装置は、前記判定装置及び前記ＣＭバンクに前記制御装置出力スタンバイ指示を送信し、
前記ＣＭバンクは、前記制御装置により送信された前記制御装置出力スタンバイ指示を取得すると、取得した前記制御装置出力スタンバイ指示に含まれる前記放送予定ＣＭ素材識別情報を蓄積し、蓄積された前記放送予定ＣＭ素材識別情報の中から１つを取り出し、取り出した前記放送予定ＣＭ素材識別情報で特定される前記ＣＭ素材を送出するスタンバイを行い、
前記判定装置は、
前記制御装置が送信した前記制御装置出力スタンバイ指示を受信する受信手段と、
前記受信手段が受信した前記制御装置出力スタンバイ指示に含まれる前記放送予定ＣＭ素材識別情報で特定される前記ＣＭ素材の放送の可否を、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき判定する判定手段と、
前記判定手段が放送不可と判定した場合、差替えＣＭ素材の前記ＣＭ素材識別情報を含む前記判定装置出力スタンバイ指示を前記ＣＭバンクに送信する差替手段と、
を有し、
前記ＣＭバンクは、前記差替手段により送信された前記判定装置出力スタンバイ指示を取得すると、前記制御装置出力スタンバイ指示に基づき蓄積された前記放送予定ＣＭ素材識別情報を、前記差替えＣＭ素材の前記ＣＭ素材識別情報に差し替える送出システム。
【請求項３】
請求項１又は２に記載の送出システムが有する判定装置。
【請求項４】
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む制御装置出力スタンバイ指示、及び、制御装置出力送出指示を送信する制御装置と、
前記制御装置が送信した前記制御装置出力スタンバイ指示を取得し、取得した前記制御装置出力スタンバイ指示に含まれる前記放送予定ＣＭ素材識別情報で特定される前記ＣＭ素材の放送の可否を判定し、判定結果に応じた判定装置出力スタンバイ指示を前記ＣＭバンクに送信する判定装置と、
を有する送出システムが実行する処理方法であって、
前記制御装置が、
前記判定装置及び前記ＣＭバンクに前記制御装置出力スタンバイ指示を送信し、
前記ＣＭバンクが、
前記制御装置により送信された前記制御装置出力スタンバイ指示を取得すると、前記制御装置出力スタンバイ指示に含まれる前記放送予定ＣＭ素材識別情報で特定される前記ＣＭ素材を送出するスタンバイを行い、
前記判定装置が、
前記制御装置が送信した前記制御装置出力スタンバイ指示を受信し、
受信した前記制御装置出力スタンバイ指示に含まれる前記放送予定ＣＭ素材識別情報で特定される前記ＣＭ素材の放送の可否を、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき判定し、
放送不可と判定した場合、差替えＣＭ素材の前記ＣＭ素材識別情報を含む前記判定装置出力スタンバイ指示を前記ＣＭバンクに送信し、
前記ＣＭバンクは、
前記判定装置により送信された前記判定装置出力スタンバイ指示を取得すると、前記制御装置出力スタンバイ指示に基づきスタンバイしている前記ＣＭ素材を、前記差替えＣＭ素材に差し替え、
前記制御装置出力スタンバイ指示は、前記制御装置が出力する前記スタンバイ指示であり、
前記制御装置出力送出指示は、前記制御装置が出力する前記送出指示であり、
前記判定装置出力スタンバイ指示は、前記判定装置が出力する前記スタンバイ指示である処理方法。
【請求項５】
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む制御装置出力スタンバイ指示、及び、制御装置出力送出指示を送信する制御装置と、
前記制御装置が送信した前記制御装置出力スタンバイ指示を取得し、取得した前記制御装置出力スタンバイ指示に含まれる前記放送予定ＣＭ素材識別情報で特定される前記ＣＭ素材の放送の可否を判定し、判定結果に応じた判定装置出力スタンバイ指示を前記ＣＭバンクに送信する判定装置と、
を有する送出システムが実行する処理方法であって、
前記制御装置は、
前記判定装置及び前記ＣＭバンクに前記制御装置出力スタンバイ指示を送信し、
前記ＣＭバンクは、
前記制御装置により送信された前記制御装置出力スタンバイ指示を取得すると、取得した前記制御装置出力スタンバイ指示に含まれる前記放送予定ＣＭ素材識別情報を蓄積し、蓄積された前記放送予定ＣＭ素材識別情報の中から１つを取り出し、取り出した前記放送予定ＣＭ素材識別情報で特定される前記ＣＭ素材を送出するスタンバイを行い、
前記判定装置は、
前記制御装置が送信した前記制御装置出力スタンバイ指示を受信し、
受信した前記制御装置出力スタンバイ指示に含まれる前記放送予定ＣＭ素材識別情報で特定される前記ＣＭ素材の放送の可否を、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき判定し、
放送不可と判定した場合、差替えＣＭ素材の前記ＣＭ素材識別情報を含む前記判定装置出力スタンバイ指示を前記ＣＭバンクに送信し、
前記ＣＭバンクは、
前記判定装置により送信された前記判定装置出力スタンバイ指示を取得すると、前記制御装置出力スタンバイ指示に基づき蓄積された前記放送予定ＣＭ素材識別情報を、前記差替えＣＭ素材の前記ＣＭ素材識別情報に差し替える処理方法。
【請求項６】
コンピュータを、請求項１又は２に記載の送出システムが有する判定装置として機能させるプログラム。
【発明の詳細な説明】
【技術分野】
【０００１】
本発明は、送出システム、判定装置、判定方法、及び、プログラムに関する。
【背景技術】
【０００２】
特許文献１に、関連する技術が開示されている。特許文献１には、ＣＭ枠及びそれに付属するＣＭ素材によって構成される送出ＣＭデータを変更する自動番組制御装置の送出ＣＭデータ自動再配置システムが開示されている。
【先行技術文献】
【特許文献】
【０００３】
【特許文献１】特開平１１−２０５２５９号
【発明の概要】
【発明が解決しようとする課題】
【０００４】
ＣＭ素材各々には、放送されるのが好ましくないタイミングが存在し得る。例えば、大人向けの商品のＣＭ素材を子供の視聴率が高い時間帯に放送するのは、子供への影響やＣＭ効果等を考慮すると好ましくない場合がある。
【０００５】
通常、ＣＭ素材毎の放送条件（放送が禁止される条件や放送が許可される条件等）を考慮して、ＣＭ進行データ（スケジュール）が作成される。そして、ＣＭ進行データに従いＣＭ素材が放送される。ＣＭ進行データでは、複数のＣＭ枠各々に、放送されるＣＭ素材が対応付けられている。
【０００６】
しかし、緊急特番（例：緊急ニュース）の挿入等に起因して、放送日当日の放送間際に、ＣＭの放送スケジュールが変更される場合がある。そして、ＣＭ進行データで定められたタイミングよりも早いタイミング、また遅いタイミングで、ＣＭ素材が放送されることがある。このような場合、放送の現場でＣＭ素材毎の放送条件を一つ一つ考慮し、放送条件を満たすように各ＣＭ素材の変更後の放送タイミングを決定するのは難しい。このため、放送されるのが好ましくないタイミングでＣＭ素材が放送されるという不都合が発生し得る。特許文献１に記載の技術の場合、このような不都合を解消できない。
【０００７】
本発明は、好ましくないタイミングでＣＭ素材が放送される不都合を軽減するための新たな技術を提供することを課題とする。
【課題を解決するための手段】
【０００８】
本発明によれば、
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有し、
前記判定装置は、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき、前記ＣＭ素材の放送の可否を判定する送出システムが提供される。
【０００９】
また、本発明によれば、上記送出システムが有する判定装置が提供される。
【００１０】
また、本発明によれば、
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置が、
前記制御装置が送信した前記スタンバイ指示を受信する第１の受信工程と、
前記第１の受信工程で受信された前記スタンバイ指示に含まれる前記放送予定ＣＭ素材識別情報で特定される前記ＣＭ素材の放送の可否を判定する第１の判定工程と、
前記第１の判定工程で放送可と判定された場合、前記放送予定ＣＭ素材識別情報を含む前記スタンバイ指示を前記ＣＭバンクに送信し、前記第１の判定工程で放送不可と判定された場合、前記放送予定ＣＭ素材識別情報に代えて差替えＣＭ素材の前記ＣＭ素材識別情報を含む前記スタンバイ指示を前記ＣＭバンクに送信する第１の差替工程と、
を実行し、
前記第１の判定工程では、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき、前記ＣＭ素材の放送の可否を判定する判定方法が提供される。
【００１１】
また、本発明によれば、
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置を、
前記制御装置が送信した前記スタンバイ指示を受信する第１の受信手段、
前記第１の受信手段が受信した前記スタンバイ指示に含まれる前記放送予定ＣＭ素材識別情報で特定される前記ＣＭ素材の放送の可否を判定する第１の判定手段、
前記第１の判定手段が放送可と判定した場合、前記放送予定ＣＭ素材識別情報を含む前記スタンバイ指示を前記ＣＭバンクに送信し、前記第１の判定手段が放送不可と判定した場合、前記放送予定ＣＭ素材識別情報に代えて差替えＣＭ素材の前記ＣＭ素材識別情報を含む前記スタンバイ指示を前記ＣＭバンクに送信する第１の差替手段、
として機能させ、
前記第１の判定手段は、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき、前記ＣＭ素材の放送の可否を判定するプログラムが提供される。
【００１２】
また、本発明によれば、
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置が、
前記制御装置が送信した前記スタンバイ指示を受信する第２の受信工程と、
前記第２の受信工程で受信された前記スタンバイ指示に含まれる前記放送予定ＣＭ素材識別情報で特定される前記ＣＭ素材の放送の可否を判定する第２の判定工程と、
前記第２の判定工程で放送不可と判定された場合、差替えＣＭ素材の前記ＣＭ素材識別情報を含む前記スタンバイ指示を前記ＣＭバンクに送信する第２の差替工程と、
を実行し、
前記第２の判定工程では、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき、前記ＣＭ素材の放送の可否を判定する判定方法が提供される。
【００１３】
また、本発明によれば、
ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置を、
前記制御装置が送信した前記スタンバイ指示を受信する第２の受信手段、
前記第２の受信手段が受信した前記スタンバイ指示に含まれる前記放送予定ＣＭ素材識別情報で特定される前記ＣＭ素材の放送の可否を判定する第２の判定手段、
前記第２の判定手段が放送不可と判定した場合、差替えＣＭ素材の前記ＣＭ素材識別情報を含む前記スタンバイ指示を前記ＣＭバンクに送信する第２の差替手段、
として機能させ、
前記第２の判定手段は、前記ＣＭ素材ごとに定められた前記ＣＭ素材各々の放送が禁止される放送禁止条件、又は、前記ＣＭ素材ごとに定められた前記ＣＭ素材各々の放送が許可される放送許可条件に基づき、前記ＣＭ素材の放送の可否を判定するプログラムが提供される。
【発明の効果】
【００１４】
本発明によれば、好ましくないタイミングでＣＭ素材が放送される不都合を軽減するための新たな技術が実現される。
【図面の簡単な説明】
【００１５】
【図１】本実施形態の装置のハードウエア構成の一例を概念的に示す図である。
【図２】放送局に備えられる一般的なシステムの機能ブロック図の一例である。
【図３】本実施形態の送出システムを適用したシステムの機能ブロック図の一例である。
【図４】本実施形態の送出システムの機能ブロック図の一例である。
【図５】本実施形態の判定装置の機能ブロック図の一例である。
【図６】本実施形態のＣＭ毎放送禁止条件情報の一例を模式的に示す図である。
【図７】本実施形態の放送禁止条件値情報の一例を模式的に示す図である。
【図８】本実施形態の放送禁止情報の一例を模式的に示す図である。
【図９】本実施形態のＣＭ毎放送許可条件情報の一例を模式的に示す図である。
【図１０】本実施形態の放送許可条件値情報の一例を模式的に示す図である。
【図１１】本実施形態の放送許可条件情報の一例を模式的に示す図である。
【図１２】本実施形態の判定装置の処理の流れの一例を示すフローチャートである。
【図１３】本実施形態の送出システムを適用したシステムの機能ブロック図の一例である。
【図１４】本実施形態の送出システムの機能ブロック図の一例である。
【図１５】本実施形態の判定装置の処理の流れの一例を示すフローチャートである。
【図１６】本実施形態のＣＭバンクに蓄積される情報の一例を模式的に示す図である。
【発明を実施するための形態】
【００１６】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１７】
図１は、本実施形態の装置（ＣＭバンク、制御装置、判定装置等）のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、通信部８Ａ、補助記憶装置９Ａ等を有する。なお、本実施形態の装置は、さらに、表示制御部４Ａ、ディスプレイ５Ａ、操作受付部６Ａ、操作部７Ａ等を有してもよい。また、図示しないが、本実施形態の装置は、その他、マイク、スピーカ等の他の要素を備えてもよい。
【００１８】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００１９】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。また、通信部８Ａは、有線及び／または無線で他の電子機器と直接つながり、通信を行うことができる。
【００２０】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２１】
＜第１の実施形態＞
最初に、放送局に備えられる一般的なシステムの概要を説明する。そして、一般的なシステムとの相違点を明確にしながら、本実施形態の送出システムを説明する。
【００２２】
図２は、放送局に備えられる一般的なシステムの機能ブロック図の一例である。営放システムでは、放送進行データが作成される。例えば、ＣＭの放送スケジュールを示すＣＭ進行データが作成される。
【００２３】
ＤＳ（データサーバ）は、営放システムから放送進行データを取得する。そして、ＤＳは、オペレータによる放送進行データの確認や修正等の操作を受付ける。また、ＤＳは、オペレータから放送の進行に関する入力、例えば、生放送時にはＣＭに移るタイミングや本編に戻るタイミング等を指定する入力を受付ける。
【００２４】
制御装置は、ＤＳから取得した放送進行データや放送の進行に関する入力等に基づき、傘下の複数の機器（ＣＭバンク、番組バンク等）を制御する。例えば、制御装置は、ＤＳから取得した放送進行データや放送の進行に関する入力等に基づき、所定のＣＭ素材を所定のタイミングで送出する指示をＣＭバンクに送信する。
【００２５】
例えば、制御装置は、ＣＭ素材が送出されるタイミング（送出タイミング）よりも前（例：数秒前、１〜２分前）に、そのＣＭ素材の識別情報（例：コード、アドレス情報等）を含むスタンバイ指示をＣＭバンクに送信する。そして、制御装置は、スタンバイ指示送信後の所定のタイミングで、事前にスタンバイさせたＣＭ素材を送出する指示（送出指示）をＣＭバンクに送信する。
【００２６】
ＣＭバンクは、複数のＣＭ素材の動画データを記憶している。そして、ＣＭバンクは、制御システムからの指示に従い、所定のタイミングで所定のＣＭ素材の映像信号を送出する。
【００２７】
例えば、ＣＭバンクは、制御装置からスタンバイ指示を受信すると、受信したスタンバイ指示に含まれるＣＭ素材の識別情報（ＣＭ素材識別情報）を蓄積していく。そして、ＣＭバンクは、先入れ先出し方式で、蓄積されたＣＭ素材識別情報の中から１つを取り出し、取り出したＣＭ素材識別情報で特定されるＣＭ素材をスタンバイする。
【００２８】
ＣＭバンクは、制御装置から送出指示を受信すると、スタンバイしているＣＭ素材の映像信号を出力する。そして、蓄積されたＣＭ素材識別情報の中から１つを新たに取り出し、取り出したＣＭ素材識別情報で特定されるＣＭ素材を新たにスタンバイする。ＣＭバンクから送出された映像信号は、マスタースイッチャーに入力される。
【００２９】
スタンバイは、その後の送出指示を受信すると、少ないタイムラグで映像信号の送出を開始できるようにすることであり、例えば、対象ファイルを処理速度が比較的速い記憶装置に移す処理等が該当する。
【００３０】
ＣＭバンク内に設けられたＡＮＣ  ＩＮＣ（アンシラリ  インサータ）は、映像信号の付属情報領域（いわゆる、アンシラリ領域）に所定の付属情報を挿入する。なお、図示しないが、ＣＭバンク内と異なる部分に他のＡＮＣ  ＩＮＣが設けられ、本編の映像信号やＣＭ素材の映像信号の付属情報領域に所定の付属情報を挿入してもよい。
【００３１】
番組バンクは、複数の本編（番組）の動画データを記憶している。そして、制御システムからの指示に従い、所定のタイミングで所定の本編の映像信号を送出する。
【００３２】
マスタースイッチャーには、ＣＭ素材の映像信号、本編の映像信号、系列ネットからの映像信号等、複数の映像信号が入力される。マスタースイッチャーは、そこから出力される映像信号を切り替える。
【００３３】
ＥＮＣは、エンコーダである。ＳＩ（サービスインフォメーション）送出は、番組表等、所定の情報を送出する。データ放送は、データ放送の情報を送出する。ＭＵＸ（マルチプレクサ）は、入力された複数の信号を多重化する。ＭＵＸで多重化された信号は、その後、所定の処理が施された後、送信所へ送信される。送信所は、受信した信号を放送波（電波）として送信する。
【００３４】
営放システム、ＤＳ及び制御システムは、例えば、情報系回線で互いに通信可能になっている。制御システムと、その傘下の装置（ＣＭバンク、番組バンク等）は、制御系回線で互いに通信可能になっている。なお、通信規格は設計的事項である。
【００３５】
図３は、本実施形態の送出システムを適用したシステム例を示す機能ブロック図である。図２と比較すると、判定装置３０を含むか否かにおいて相違することが分かる。本実施形態の送出システム１は、ＣＭバンク１０と、制御装置２０と、判定装置３０とにより実現される特徴的な処理により、一般的なシステムでは実現できない優れた作用効果を実現する。
【００３６】
以下、本実施形態のＣＭバンク１０、制御装置２０及び判定装置３０の構成について説明する。なお、図３に示す営放システム、ＤＳ、番組バンク、マスタースイッチャー、ＥＮＣ、ＳＩ送出、データ放送、ＭＵＸ、情報系回線及び制御系回線については、図２を用いて説明した一般的なシステムと同様であるので、ここでの説明は省略する。
【００３７】
図４に、本実施形態の送出システム１の機能ブロック図の一例を示す。図示するように、送出システム１は、ＣＭバンク１０と、制御装置２０と、判定装置３０とを有する。
【００３８】
ＣＭバンク１０は、複数のＣＭ素材の動画データを記憶している。ＣＭバンク１０は、ＣＭ素材識別情報を含むスタンバイ指示を受信すると、当該ＣＭ素材識別情報で特定されるＣＭ素材の映像信号を送出するスタンバイを行う。そして、ＣＭバンク１０は、送出指示を受信すると、スタンバイしているＣＭ素材の映像信号を送出する。ＣＭバンク１０から送出されたＣＭ素材の映像信号は、例えば、図３に示すマスタースイッチャーに入力される。
【００３９】
本実施形態のＣＭバンク１０は、スタンバイ指示を、制御装置２０からでなく、判定装置３０から受信する点で、一般的なシステムと異なる。その他の構成は、一般的なシステムと同様な構成とすることができる。
【００４０】
例えば、ＣＭバンク１０は、判定装置３０からスタンバイ指示を受信すると、受信したスタンバイ指示に含まれるＣＭ素材識別情報（素材コード）を、図１６に示すように蓄積していく。そして、ＣＭバンク１０は、先入れ先出し方式で、蓄積されたＣＭ素材識別情報（図１６参照）の中から１つを取り出し、取り出したＣＭ素材識別情報で特定されるＣＭ素材をスタンバイする。
【００４１】
ＣＭバンク１０は、制御装置２０から送出指示を受信すると、スタンバイしているＣＭ素材の映像信号を出力する。そして、蓄積されたＣＭ素材識別情報（図１６参照）の中から１つを新たに取り出し、取り出したＣＭ素材識別情報で特定されるＣＭ素材を新たにスタンバイする。
【００４２】
制御装置２０は、放送予定のＣＭ素材のＣＭ素材識別情報（以下、「放送予定ＣＭ素材識別情報」）を含むスタンバイ指示を送信する。また、制御装置２０は、スタンバイしているＣＭ素材を送出させるための送出指示を送信する。例えば、制御装置２０は、ＤＳから取得した放送進行データや放送の進行に関する入力等に基づき、スタンバイ指示及び送出指示を送信する。
【００４３】
本実施形態の制御装置２０は、スタンバイ指示をＣＭバンク１０でなく、判定装置３０に送信する点で、一般的なシステムと異なる。本実施形態では、制御装置２０が送信したスタンバイ指示が、制御装置２０を経由せず、ＣＭバンク１０に送信（入力）されることはない。その他の構成は、一般的なシステムと同様な構成とすることができる。
【００４４】
判定装置３０は、制御装置２０が送信したスタンバイ指示を取得し、取得したスタンバイ指示に含まれる放送予定ＣＭ素材識別情報で特定されるＣＭ素材の放送の可否を判定する。そして、判定装置３０は、判定結果に応じたスタンバイ指示をＣＭバンク１０に送信する。
【００４５】
図５に、本実施形態の判定装置３０の機能ブロック図の一例を示す。図示するように、判定装置３０は、第１の受信部３１と、第１の判定部３２と、第１の差替部３３とを有する。
【００４６】
第１の受信部３１は、制御装置２０が送信したスタンバイ指示を受信する。
【００４７】
第１の判定部３２は、第１の受信部３１が受信したスタンバイ指示に含まれる放送予定ＣＭ素材識別情報で特定されるＣＭ素材の放送の可否を判定する。例えば、第１の判定部３２は、ＣＭ素材各々の放送が禁止される放送禁止条件に基づき、放送予定ＣＭ素材識別情報で特定されるＣＭ素材の放送の可否を判定してもよい。その他、第１の判定部３２は、ＣＭ素材各々の放送が許可される放送許可条件に基づき、放送予定ＣＭ素材識別情報で特定されるＣＭ素材の放送の可否を判定してもよい。以下、放送禁止条件に基づく判定、及び、放送許可条件に基づく判定を説明する。
【００４８】
「放送禁止条件に基づく判定」
第１の判定部３２は、例えば、図６に示すようなＣＭ毎放送禁止条件情報を予め保持しておいてもよい。図６に示すＣＭ毎放送禁止条件情報では、ＣＭ素材識別情報（素材コード）各々に、各ＣＭ素材に適用される放送禁止条件の識別情報（放送禁止条件ＩＤ）が対応付けられている。１つのＣＭ素材に１つの放送禁止条件を対応付けてもよいし、複数の放送禁止条件を対応付けてもよい。また、放送禁止条件を対応付けられないＣＭ素材が存在してもよい。
【００４９】
さらに、第１の判定部３２は、図７に示すような放送禁止条件値情報を保持しておいてもよい。放送禁止条件値情報では、放送禁止条件ＩＤ各々に、「放送可」または「放送不可」に対応する値が対応付けられる。図では、「放送可」に対応する値として「可」が記載され、「放送不可」に対応する値として「不可」が記載されているが、これに限定されない。例えば、いずれか一方のみにフラグをたててもよい。
【００５０】
放送禁止条件値情報で示される放送禁止条件各々の値は、図８に示すような放送禁止条件情報に従い決定され、更新部（不図示）により更新される。
【００５１】
放送禁止条件ＩＤ「禁００１」の放送禁止条件では、６時から１８時の間は放送が禁止されることが示されている。このような放送禁止条件に従えば、図７に示す放送禁止条件値情報における放送禁止条件ＩＤ「禁００１」に対応付けられる値は、６時から１８時の間は「不可」となり、その他の時間帯は「可」となる。
【００５２】
放送禁止条件ＩＤ「禁００２」の放送禁止条件では、９時から１２時の間は放送が禁止されることが示されている。このような放送禁止条件に従えば、図７に示す放送禁止条件値情報における放送禁止条件ＩＤ「禁００２」に対応付けられる値は、９時から１２時の間は「不可」となり、その他の時間帯は「可」となる。
【００５３】
放送禁止条件ＩＤ「禁００３」の放送禁止条件では、天気が雨の場合、放送が禁止されることが示されている。このような放送禁止条件に従えば、図７に示す放送禁止条件値情報における放送禁止条件ＩＤ「禁００３」に対応付けられる値は、天気が雨の場合、「不可」となり、その他の場合は「可」となる。
【００５４】
放送禁止条件ＩＤ「禁００４」の放送禁止条件では、Ａチームの勝敗が負けの場合、放送が禁止されることが示されている。このような放送禁止条件に従えば、図７に示す放送禁止条件値情報における放送禁止条件ＩＤ「禁００４」に対応付けられる値は、Ａチームの勝敗が負けの場合、「不可」となり、その他の場合は「可」となる。
【００５５】
例えば、オペレータが、所定のタイミング（例：１日１回所定の時刻、１日複数回所定の時刻）で、放送禁止条件情報（図８参照）、及び、各放送禁止条件を判定するための最新の情報（例：現在時刻、天気、Ａチームの勝敗等）に基づき、放送禁止条件各々の最新の値（放送可、又は、放送不可）を決定し、放送禁止条件ごとに決定した値を更新部に入力してもよい。そして、更新部は、入力された値に従い、放送禁止条件値情報（図７参照）を更新してもよい。
【００５６】
その他、更新部が、所定のタイミング（例：１日１回所定の時刻、１日複数回所定の時刻）で、放送禁止条件各々の最新の値（放送可、又は、放送不可）を決定し、決定した値に従い、放送禁止条件値情報（図７参照）を更新してもよい。
【００５７】
当該例の場合、更新部は、所定のタイミング（例：１日１回所定の時刻、１日複数回所定の時刻）で、放送禁止条件各々の値（放送可、又は、放送不可）を判定するための最新の情報を取得する。
【００５８】
放送禁止条件各々の値を判定するための情報は、放送禁止条件の内容に応じて異なる。図８の放送禁止条件ＩＤ「禁００１」及び「禁００２」の放送禁止条件の場合、例えば現在時刻が、判定するための情報となる。図８の放送禁止条件ＩＤ「禁００３」の放送禁止条件の場合、例えば現在の天気の内容や当日の最新の天気予報の内容等が、判定するための情報となる。図８の放送禁止条件ＩＤ「禁００４」の放送禁止条件の場合、例えばＡチームの前日の試合結果や、当日の試合結果等が、判定するための情報となる
【００５９】
更新部は、例えばこれらの情報を提供するサーバからこれらの情報を取得してもよい。その他、オペレータがこれらの情報を更新部に入力してもよい。
【００６０】
更新部は、判定するための情報を取得すると、当該情報と、放送禁止条件情報（図８参照）とに基づき、放送禁止条件各々の値（放送可、又は、放送不可）を決定する。そして、更新部は、決定した値に従い、放送禁止条件値情報（図７参照）を更新する。なお、更新部は、本実施形態の判定装置３０に備えられてもよいし、判定装置３０と通信可能に構成された他の装置に備えられてもよい。
【００６１】
第１の判定部３２は、例えば、図６に示すＣＭ毎放送禁止条件情報、及び、図７に示す放送禁止条件値情報に基づき、放送予定ＣＭ素材識別情報で特定されるＣＭ素材のそのタイミングでの放送の可否を判定する。
【００６２】
例えば、第１の判定部３２は、第１の受信部３１が取得したスタンバイ指示に含まれる放送予定ＣＭ素材識別情報を取得すると、図６に示すＣＭ毎放送禁止条件情報を参照し、放送禁止条件が対応付けられているか否かを判定する。
【００６３】
対応付けられていない場合、第１の判定部３２は、当該放送予定ＣＭ素材識別情報で特定されるＣＭ素材は放送可と判定する。一方、対応付けられている場合、第１の判定部３２は、図７に示す放送禁止条件値情報を参照し、対応付けられている放送禁止条件の値を取得する。
【００６４】
値が放送可に対応するものである場合、第１の判定部３２は、当該放送予定ＣＭ素材識別情報で特定されるＣＭ素材は放送可と判定する。一方、値が放送不可に対応するものである場合、第１の判定部３２は、当該放送予定ＣＭ素材識別情報で特定されるＣＭ素材は放送不可と判定する。放送不可と判定した場合、第１の判定部３２は、放送予定ＣＭ素材識別情報で特定されるＣＭ素材に代えて、予め定められた所定のＣＭ素材を放送するＣＭ素材（差替えＣＭ素材）として決定する。
【００６５】
具体例を用いて説明する。例えば、スタンバイ指示に含まれる放送予定ＣＭ素材識別情報（素材コード）が「１２３４−５６７８９０」であったとする。図６に示すＣＭ毎放送禁止条件情報を参照すると、放送禁止条件ＩＤ「禁００１」が対応付けられている。このため、第１の判定部３２は、図７に示す放送禁止条件値情報を参照し、放送禁止条件ＩＤ「禁００１」に対応付けられている放送禁止条件の値を取得する。図７では、放送禁止条件ＩＤ「禁００１」に「放送可」に対応する値が対応付けられている。このため、第１の判定部３２は、放送予定ＣＭ素材識別情報（素材コード）「１２３４−５６７８９０」で特定されるＣＭ素材は、当該タイミングで放送可と判定する。
【００６６】
他の例として、スタンバイ指示に含まれる放送予定ＣＭ素材識別情報（素材コード）が「１２３４−５６７８９１」であったとする。図６に示すＣＭ毎放送禁止条件情報を参照すると、放送禁止条件ＩＤ「禁００２」及び「禁００３」が対応付けられている。このため、第１の判定部３２は、図７に示す放送禁止条件値情報を参照し、放送禁止条件ＩＤ「禁００２」及び「禁００３」に対応付けられている放送禁止条件の値を取得する。
【００６７】
図７では、放送禁止条件ＩＤ「禁００２」に「放送可」に対応する値が対応付けられ、放送禁止条件ＩＤ「禁００３」に「放送不可」に対応する値が対応付けられている。このため、第１の判定部３２は、放送予定ＣＭ素材識別情報（素材コード）「１２３４−５６７８９１」で特定されるＣＭ素材は、当該タイミングで放送不可と判定する。第１の判定部３２は、対応付けられているすべての放送禁止条件で放送可と判定した場合、そのＣＭ素材は当該タイミングで放送可と判定する。
【００６８】
他の例として、スタンバイ指示に含まれる放送予定ＣＭ素材識別情報（素材コード）が「１２３４−５６７８９２」であったとする。図６に示すＣＭ毎放送禁止条件情報を参照すると、放送禁止条件が対応付けられていない。このため、第１の判定部３２は、放送予定ＣＭ素材識別情報（素材コード）「１２３４−５６７８９２」で特定されるＣＭ素材は、当該タイミングで放送可と判定する。
【００６９】
「放送許可条件に基づく判定」
第１の判定部３２は、例えば、図９に示すようなＣＭ毎放送許可条件情報を予め保持しておいてもよい。図９に示すＣＭ毎放送許可条件情報では、素材グループと、放送許可条件ＩＤと、素材コードとが互いに対応付けられている。
【００７０】
素材グループの欄には、複数の素材グループを識別するための情報が記載される。各素材グループには、１つまたは複数の素材コード（ＣＭ素材識別情報）が対応付けられる。すなわち、各素材グループには、１つまたは複数のＣＭ素材が含まれる。
【００７１】
１つの素材グループに複数の素材コードが対応付けられる場合、複数の素材コード各々に、各ＣＭ素材の放送が許可される条件が対応付けられる。
【００７２】
図の例の場合、素材グループ「ＡＡＡＡ」に含まれる複数の素材コード各々に、条件値（ケースＡ乃至Ｃ）が対応付けられている。ケースＡに該当する場合、素材コード「１２３４−５６７８９０」のＣＭ素材の放送が許可され、ケースＢに該当する場合、素材コード「１２３４−５６７８９１」のＣＭ素材の放送が許可され、ケースＣに該当する場合、素材コード「１２３４−５６７８９２」のＣＭ素材の放送が許可されることを意味する。
【００７３】
また、図の例の場合、複数の素材コードが対応付けられた素材グループに、いずれの条件値に該当するか決定する放送許可条件の識別情報（放送許可条件ＩＤ）が対応付けられている。
【００７４】
図９の例の場合、素材グループ「ＡＡＡＡ」においては、放送許可条件ＩＤ「ＸＸ」の放送許可条件に基づいて、いずれの条件値（ケースＡ乃至Ｃ）に該当するかが決定される。素材グループ「ＢＢＢＢ」においては、放送許可条件ＩＤ「ＹＹ」の放送許可条件に基づいて、いずれの条件値（ケースＡ乃至Ｄ）に該当するかが決定される。
【００７５】
例えば、第１の判定部３２は、図１０に示すような放送許可条件値情報を保持しておいてもよい。放送許可条件値情報では、放送許可条件ＩＤ各々に、条件値が対応付けられる。図では、ケースＡ乃至Ｄ各々に対応する値としてＡ乃至Ｄが記載されているが、これに限定されない。
【００７６】
放送許可条件値情報で示される放送許可条件各々の値は、図１１に示すような放送許可条件情報に従い決定され、更新部（不図示）により更新される。
【００７７】
図１１に示す放送許可条件情報では、放送許可条件ＩＤと、名称と、各条件値（ケースＡ乃至Ｄ等）に対応する値とが互いに対応付けられている。名称は、放送許可条件各々を人が容易に把握できるようにするためのものである。
【００７８】
例えば、放送許可条件ＩＤ「ＸＸ」は、天気に基づいて条件値が決定される。晴れの場合、条件値「ケースＡ」が決定され、雨の場合、条件値「ケースＢ」が決定され、その他の場合、条件値「ケースＣ」が決定される。
【００７９】
放送許可条件ＩＤ「ＹＹ」は、Ａチームの勝敗に基づいて条件値が決定される。勝ちの場合、条件値「ケースＡ」が決定され、負けの場合、条件値「ケースＢ」が決定され、引き分けの場合、条件値「ケースＣ」が決定され、試合なしの場合、条件値「ケースＤ」が決定される。
【００８０】
例えば、オペレータが、所定のタイミング（例：１日１回所定の時刻、１日複数回所定の時刻）で放送許可条件情報（図１１参照）に基づき、放送許可条件各々の最新の条件値を決定し、放送許可条件ごとに決定した条件値を更新部に入力してもよい。そして、更新部は、入力された条件値に従い、放送許可条件値情報（図１０参照）を更新してもよい。
【００８１】
その他、更新部が、所定のタイミング（例：１日１回所定の時刻、１日複数回所定の時刻）で放送許可条件各々の最新の条件値を決定し、決定した条件値に従い、放送許可条件値情報（図１０参照）を更新してもよい。
【００８２】
当該例の場合、更新部は、所定のタイミング（例：１日１回所定の時刻、１日複数回所定の時刻）で、放送許可条件各々の条件値を判定するための最新の情報を取得する。
【００８３】
放送許可条件各々の条件値を判定するための情報は、放送許可条件の内容に応じて異なる。図１１の放送許可条件ＩＤ「ＸＸ」の放送許可条件の場合、例えば現在の天気の内容や当日の最新の天気予報の内容等が、判定するための情報となる。図１１の放送許可条件ＩＤ「ＹＹ」の放送許可条件の場合、例えばＡチームの前日の試合結果や、当日の試合結果等が、判定するための情報となる
【００８４】
更新部は、例えばこれらの情報を提供するサーバからこれらの情報を取得してもよい。その他、オペレータがこれらの情報を更新部に入力してもよい。
【００８５】
更新部は、判定するための情報を取得すると、当該情報と、放送許可条件情報（図１１参照）とに基づき、放送許可条件各々の条件値を決定する。そして、更新部は、決定した条件値に従い、放送許可条件値情報（図１０参照）を更新する。
【００８６】
第１の判定部３２は、例えば、図９に示すＣＭ毎放送許可条件情報、及び、図１０に示す放送許可条件値情報に基づき、放送予定ＣＭ素材識別情報で特定されるＣＭ素材のそのタイミングでの放送の可否を判定する。
【００８７】
例えば、第１の判定部３２は、第１の受信部３１が取得したスタンバイ指示に含まれる放送予定ＣＭ素材識別情報を取得すると、図９に示すＣＭ毎放送許可条件情報を参照し、放送許可条件が対応付けられているか否か判定する。
【００８８】
対応付けられていない場合、第１の判定部３２は、放送予定ＣＭ素材識別情報で特定されるＣＭ素材は放送可と判定する。一方、対応付けられている場合、第１の判定部３２は、図１０に示す放送許可条件値情報を参照し、対応付けられている放送許可条件の条件値を取得する。
【００８９】
条件値が当該ＣＭ素材に対応するものである場合、第１の判定部３２は、放送予定ＣＭ素材識別情報で特定されるＣＭ素材は放送可と判定する。一方、条件値が当該ＣＭ素材に対応するものでない場合、第１の判定部３２は、放送予定ＣＭ素材識別情報で特定されるＣＭ素材は放送不可と判定する。そして、第１の判定部３２は、放送予定ＣＭ素材識別情報で特定されるＣＭ素材に代えて、当該ＣＭ素材が属する素材グループの中の、放送許可条件値情報から取得した条件値に対応するＣＭ素材を、放送するＣＭ素材（差替えＣＭ素材）として決定する。
【００９０】
例えば、第１の受信部３１が取得したスタンバイ指示に含まれる放送予定ＣＭ素材識別情報（素材コード）が「１２３４−５６７８９１」であったとする。図９に示すＣＭ毎放送許可条件情報を参照すると、当該ＣＭ素材には放送条件ＩＤ「ＸＸ」が対応付けられている。このため、第１の判定部３２は、図１０に示す放送許可条件値情報を参照し、対応付けられている放送許可条件の条件値、すなわち「ケースＡ」を取得する。
【００９１】
取得した条件値「ケースＡ」は、放送予定ＣＭ素材識別情報（素材コード）「１２３４−５６７８９１」に対応する値「ケースＢ」と異なる。このため、第１の判定部３２は、放送予定ＣＭ素材識別情報で特定されるＣＭ素材の当該タイミングでの放送は不可と判定する。そして、第１の判定部３２は、当該ＣＭ素材の属する素材グループ「ＡＡＡＡ」に属し、条件値「ケースＡ」に対応するＣＭ素材識別情報（素材コード）「１２３４−５６７８９０」のＣＭ素材を、代わりに放送するＣＭ素材（差替えＣＭ素材）として決定する。
【００９２】
他の例として、第１の受信部３１が取得したスタンバイ指示に含まれる放送予定ＣＭ素材識別情報（素材コード）が「１２３４−５６７８９９」であったとする。図９に示すＣＭ毎放送許可条件情報を参照すると、放送予定ＣＭ素材識別情報で特定されるＣＭ素材には放送許可条件が対応付けられていない。このため、第１の判定部３２は、放送予定ＣＭ素材識別情報で特定されるＣＭ素材の当該タイミングでの放送は可と判定する。
【００９３】
なお、第１の判定部３２は、放送禁止条件と放送許可条件とを用いて、ＣＭ素材の放送の可否を判定することもできる。この場合、第１の判定部３２は、放送許可条件に基づき放送可と判定され、かつ、放送禁止条件に基づき放送可と判定された場合、放送予定ＣＭ素材識別情報で特定されるＣＭ素材を放送可と判定してもよい。そして、放送許可条件及び放送禁止条件の少なくとも一方に基づき放送不可と判定された場合、放送予定ＣＭ素材識別情報で特定されるＣＭ素材を放送不可と判定してもよい。
【００９４】
当該例の場合、第１の判定部３２は、放送許可条件に基づき代わりに放送すると決定されたＣＭ素材に対しても、放送禁止条件に基づいた判定を行ってもよい。そして、当該判定において放送不可と判定された場合、そのＣＭ素材を差替えＣＭ素材とし、放送不可と判定された場合、予め定められた所定のＣＭ素材を差替えＣＭ素材として決定してもよい。
【００９５】
図５に戻り、第１の差替部３３は、第１の判定部３２が放送可と判定した場合、第１の受信部３１が受信したスタンバイ指示に含まれていた放送予定ＣＭ素材識別情報を含むスタンバイ指示を、ＣＭバンク１０に送信（入力）する。そして、第１の差替部３３は、第１の判定部３２が放送不可と判定した場合、第１の受信部３１が受信したスタンバイ指示に含まれていた放送予定ＣＭ素材識別情報に代えて、差替えＣＭ素材のＣＭ素材識別情報を含むスタンバイ指示をＣＭバンク１０に送信（入力）する。
【００９６】
差替えＣＭ素材は、放送予定ＣＭ素材識別情報で特定されるＣＭ素材を放送不可と判定した場合に、第１の判定部３２が代わりに放送すると決定したＣＭ素材（差替えＣＭ素材）である。
【００９７】
次に、図１２のフローチャートを用いて、本実施形態の判定装置３０の処理の流れの一例を説明する。
【００９８】
Ｓ１０では、第１の受信部３１は、制御装置２０から送信されるスタンバイ指示受信待ちとなっている。スタンバイ指示が受信されない間（Ｓ１０のＮｏ）、第１の受信部３１は受信待ちとなる。そして、スタンバイ指示が受信されると（Ｓ１０のＹｅｓ）、Ｓ１１に進む。
【００９９】
Ｓ１１では、第１の判定部３２が、Ｓ１０で受信されたスタンバイ指示から、放送予定ＣＭ素材識別情報を取得する。そして、第１の判定部３２は、取得した放送予定ＣＭ素材識別情報で特定されるＣＭ素材の放送の可否を判定する。
【０１００】
第１の判定部３２が放送可と判定した場合（Ｓ１２のＹｅｓ）、第１の差替部３３は、当該放送予定ＣＭ素材識別情報を含むスタンバイ指示をＣＭバンク１０に送信（入力）する（Ｓ１３）。一方、第１の判定部３２が放送不可と判定した場合（Ｓ１２のＮｏ）、第１の差替部３３は、放送予定ＣＭ素材識別情報に代えて、差替えＣＭ素材のＣＭ素材識別情報を含むスタンバイ指示をＣＭバンク１０に送信（入力）する（Ｓ１４）。
【０１０１】
処理終了の入力がなされない間（Ｓ１５のＮｏ）、判定装置３０はＳ１０に戻り、制御装置２０からのスタンバイ指示受信待ちとなる。そして、処理終了の入力がなされると（Ｓ１５のＹｅｓ）、判定装置３０は処理を終了する。
【０１０２】
Ｓ１３又はＳ１４で、判定装置３０からスタンバイ指示を入力されたＣＭバンク１０は、当該スタンバイ指示に含まれるＣＭ素材識別情報を蓄積する。そして、ＣＭバンク１０は、先入れ先出し方式で、蓄積されたＣＭ素材識別情報（図１６参照）の中から１つを取り出し、取り出したＣＭ素材識別情報で特定されるＣＭ素材をスタンバイする。
【０１０３】
ＣＭバンク１０は、制御装置２０から送出指示を受信すると、スタンバイしているＣＭ素材の映像信号を出力する。そして、蓄積されたＣＭ素材識別情報（図１６参照）の中から１つを新たに取り出し、取り出したＣＭ素材識別情報で特定されるＣＭ素材を新たにスタンバイする。
【０１０４】
以上説明した本実施形態によれば、制御装置２０からスタンバイ指示が送出された後、かつ、送出指示が送信される前に、スタンバイ指示で特定されるＣＭ素材各々の当該タイミングでの放送の可否を判定することができる。そして、放送可の場合は当該ＣＭ素材を送出するスタンバイが行われ、放送不可の場合は他の差替えＣＭ素材を送出するスタンバイが行われるように制御できる。このように、本実施形態によれば、より放送タイミングに近い水際でのチェックが実現される。結果、より効果的に、好ましくないタイミングでＣＭ素材が放送される不都合を軽減することができる。
【０１０５】
また、本実施形態では、ＣＭ素材各々の放送が禁止される放送禁止条件に基づき、ＣＭ素材の放送の可否を判定することができる。このような本実施形態によれば、放送が禁止される条件をＣＭ素材毎に定めておくことで、放送が禁止される条件下でＣＭ素材が放送される不都合を回避できる。
【０１０６】
また、本実施形態では、ＣＭ素材各々の放送が許可される放送許可条件に基づき、ＣＭ素材の放送の可否を判定することができる。このような本実施形態によれば、放送が許可される条件をＣＭ素材毎に定めておくことで、放送が禁止される条件下でのみＣＭ素材が放送されるようにできる。
【０１０７】
また、放送禁止条件と放送許可条件とを組み合わせることで、ＣＭ素材の放送制限のバリエーションが増し好ましい。
【０１０８】
＜第２の実施形態＞
図１３に、本実施形態の送出システム１の機能ブロック図の一例を示す。以下、ＣＭバンク１０、制御装置２０及び判定装置３０の構成を説明する。
【０１０９】
制御装置２０は、ＣＭバンク１０及び判定装置３０の両方に、放送予定ＣＭ素材識別情報を含むスタンバイ指示を送信する。その他の構成は、第１の実施形態の制御装置２０と同様である。
【０１１０】
図１４に、本実施形態の判定装置３０の機能ブロック図の一例を示す。図示するように、判定装置３０は、第２の受信部３４と、第２の判定部３５と、第２の差替部３６とを有する。
【０１１１】
第２の受信部３４の構成は、第１の実施形態で説明した第１の受信部３１の構成と同様である。第２の判定部３５の構成は、第１の実施形態で説明した第１の判定部３２の構成と同様である。
【０１１２】
第２の差替部３６は、第２の判定部３５が放送不可と判定した場合、差替えＣＭ素材のＣＭ素材識別情報を含むスタンバイ指示をＣＭバンク１０に送信する。なお、当該スタンバイ指示には、差替えられる対象となるＣＭ素材を特定する情報、すなわち、放送不可と判定されたＣＭ素材の識別情報（放送予定ＣＭ素材識別情報）が含まれていてもよい。一方、第２の差替部３６は、第２の判定部３５が放送可と判定した場合、当該スタンバイ指示をＣＭバンク１０に送信しない。
【０１１３】
ＣＭバンク１０は、制御装置２０により送信されたスタンバイ指示を取得すると、当該スタンバイ指示に含まれる放送予定ＣＭ素材識別情報で特定されるＣＭ素材を送出するスタンバイを行う。
【０１１４】
例えば、ＣＭバンク１０は、制御装置２０からスタンバイ指示を受信すると、受信したスタンバイ指示に含まれる放送予定ＣＭ素材識別情報（素材コード）を、図１６に示すように蓄積していく。そして、ＣＭバンク１０は、先入れ先出し方式で、蓄積されたＣＭ素材識別情報（図１６参照）の中から１つを取り出し、取り出したＣＭ素材識別情報で特定されるＣＭ素材をスタンバイする。そして、ＣＭバンク１０は、制御装置２０から送出指示を受信すると、スタンバイしているＣＭ素材の映像信号を送出する。
【０１１５】
なお、ＣＭバンク１０は、判定装置３０から、「差替えられる対象となるＣＭ素材の識別情報（放送予定ＣＭ素材識別情報）」及び「差替えＣＭ素材のＣＭ素材識別情報」を含むスタンバイ指示を受信すると、以下のような処理を実行する。
【０１１６】
蓄積されたＣＭ素材識別情報（図１６参照）の中に、「差替えられる対象となるＣＭ素材の識別情報（放送予定ＣＭ素材識別情報）」が存在する場合、ＣＭバンク１０は、蓄積されたＣＭ素材識別情報（図１６参照）を更新する。具体的には、蓄積されている「差替えられる対象となるＣＭ素材の識別情報（放送予定ＣＭ素材識別情報）」を、「差替えＣＭ素材のＣＭ素材識別情報」に差し替える。
【０１１７】
また、「差替えられる対象となるＣＭ素材」が既にスタンバイ状態にある場合、ＣＭバンク１０は、スタンバイしているＣＭ素材を、差替えＣＭ素材に差し替える。
【０１１８】
差替えＣＭ素材は、第１の判定部３２と同様な構成となっている第２の判定部３５が、放送予定ＣＭ素材識別情報で特定されるＣＭ素材を放送不可と判定した場合に、代わりに放送すると決定したＣＭ素材である。
【０１１９】
次に、図１５のフローチャートを用いて、本実施形態の判定装置３０の処理の流れの一例を説明する。
【０１２０】
Ｓ２０では、第２の受信部３４は、制御装置２０から送信されるスタンバイ指示受信待ちとなっている。スタンバイ指示が受信されない間（Ｓ２０のＮｏ）、第２の受信部３４は受信待ちとなる。そして、スタンバイ指示が受信されると（Ｓ２０のＹｅｓ）、Ｓ２１に進む。
【０１２１】
Ｓ２１では、第２の判定部３５が、Ｓ２０で取得されたスタンバイ指示から、放送予定ＣＭ素材識別情報を取得する。そして、第２の判定部３５は、Ｓ２１で取得した放送予定ＣＭ素材識別情報で特定されるＣＭ素材の放送の可否を判定する。
【０１２２】
第２の判定部３５が放送可と判定した場合（Ｓ２２のＹｅｓ）、Ｓ２４に進む。この場合、第２の差替部３６は、放送予定ＣＭ素材識別情報を含むスタンバイ指示をＣＭバンク１０に送信（入力）しない。
【０１２３】
一方、第２の判定部３５が放送不可と判定した場合（Ｓ２２のＮｏ）、第２の差替部３６は、差替えＣＭ素材のＣＭ素材識別情報を含むスタンバイ指示をＣＭバンク１０に送信（入力）する（Ｓ２３）。
【０１２４】
処理終了の入力がなされない間（Ｓ２４のＮｏ）、判定装置３０はＳ２０に戻り、制御装置２０からのスタンバイ指示受信待ちとなる。そして、処理終了の入力がなされると（Ｓ２４のＹｅｓ）、判定装置３０は処理を終了する。
【０１２５】
なお、制御装置２０は、ＣＭバンク１０及び判定装置３０の両方にスタンバイ指示を送信する。このため、第２の受信部３４が制御装置２０からスタンバイ指示を受信すると、ＣＭバンク１０も同様に当該スタンバイ指示を受信する。そして、ＣＭバンク１０は、当該スタンバイ指示に含まれる放送予定ＣＭ素材識別情報を蓄積し、蓄積した放送予定ＣＭ素材識別情報に基づきＣＭ素材のスタンバイを行う。
【０１２６】
Ｓ２３で第２の差替部３６が差替えＣＭ素材のＣＭ素材識別情報を含むスタンバイ指示をＣＭバンク１０に送信すると、ＣＭバンク１０は、蓄積された放送予定ＣＭ素材識別情報を差替えＣＭ素材のＣＭ素材識別情報に差し替える、又は、スタンバイしたＣＭ素材を上記差替えＣＭ素材に差し替える処理を行う。
【０１２７】
以上説明した本実施形態によれば、第１の実施形態と同様な作用効果を実現できる。また、第１の実施形態の場合、ＣＭバンク１０にスタンバイ指示を送信するのは判定装置３０であった。このため、仮に、判定装置３０が故障すると、ＣＭバンク１０はスタンバイ指示を取得できなくなる。このため、ＣＭバンク１０はＣＭ素材を送出するスタンバイをできず、ＣＭ素材の映像信号を送出できなくなる。このように、第１の実施形態の場合、判定装置３０が故障すると、ＣＭ素材の映像信号を送出でききなくなる。
【０１２８】
これに対し、本実施形態では、制御装置２０がＣＭバンク１０及び判定装置３０の両方にスタンバイ指示を送信する。そして、ＣＭバンク１０は、制御装置２０から受信したスタンバイ指示に従い所定のＣＭ素材を送出するスタンバイを行うとともに、判定装置３０から受信したスタンバイ指示に従い、スタンバイしているＣＭ素材を他のＣＭ素材に差し替える等の処理を行う。仮に、判定装置３０からスタンバイ指示を受信しなかった場合、ＣＭバンク１０は、制御装置２０から受信したスタンバイ指示に従ったスタンバイを行う。
【０１２９】
このような構成の本実施形態の場合、仮に、判定装置３０が故障した場合であっても、ＣＭバンク１０は、制御装置２０から受信したスタンバイ指示に従い、ＣＭ素材を送出するスタンバイを行い、当該ＣＭ素材の映像信号を送出することができる。このように、本実施形態によれば、判定装置３０が故障してもＣＭ素材の映像信号を送出できるというトラブルに強い構成が実現される。
【０１３０】
以下、参考形態の例を付記する。
１．  ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システム。
２．  １に記載の送出システムにおいて、
前記制御装置は、前記判定装置に前記スタンバイ指示を送信し、
前記判定装置は、
前記制御装置が送信した前記スタンバイ指示を受信する第１の受信手段と、
前記第１の受信手段が受信した前記スタンバイ指示に含まれる前記放送予定ＣＭ素材識別情報で特定される前記ＣＭ素材の放送の可否を判定する第１の判定手段と、
前記第１の判定手段が放送可と判定した場合、前記放送予定ＣＭ素材識別情報を含む前記スタンバイ指示を前記ＣＭバンクに送信し、前記第１の判定手段が放送不可と判定した場合、前記放送予定ＣＭ素材識別情報に代えて差替えＣＭ素材の前記ＣＭ素材識別情報を含む前記スタンバイ指示を前記ＣＭバンクに送信する第１の差替手段と、
を有し、
前記ＣＭバンクは、前記第１の差替手段により送信された前記スタンバイ指示を取得すると、前記スタンバイ指示に含まれる前記ＣＭ素材識別情報で特定される前記ＣＭ素材を送出するスタンバイを行う送出システム。
３．  １に記載の送出システムにおいて、
前記制御装置は、前記判定装置及び前記ＣＭバンクに前記スタンバイ指示を送信し、
前記ＣＭバンクは、前記制御装置により送信された前記スタンバイ指示を取得すると、前記スタンバイ指示に含まれる前記放送予定ＣＭ素材識別情報で特定される前記ＣＭ素材を送出するスタンバイを行い、
前記判定装置は、
前記制御装置が送信した前記スタンバイ指示を受信する第２の受信手段と、
前記第２の受信手段が受信した前記スタンバイ指示に含まれる前記放送予定ＣＭ素材識別情報で特定される前記ＣＭ素材の放送の可否を判定する第２の判定手段と、
前記第２の判定手段が放送不可と判定した場合、差替えＣＭ素材の前記ＣＭ素材識別情報を含む前記スタンバイ指示を前記ＣＭバンクに送信する第２の差替手段と、
を有し、
前記ＣＭバンクは、第２の差替え手段により送信された前記スタンバイ指示を取得すると、スタンバイしている前記ＣＭ素材を、前記放送予定ＣＭ素材識別情報で特定される前記ＣＭ素材から、前記差替えＣＭ素材に差し替える送出システム。
４．  １に記載の送出システムにおいて、
前記制御装置は、前記判定装置及び前記ＣＭバンクに前記スタンバイ指示を送信し、
前記ＣＭバンクは、前記制御装置により送信された前記スタンバイ指示を取得すると、取得した前記スタンバイ指示に含まれる前記放送予定ＣＭ素材識別情報を蓄積し、蓄積された前記放送予定ＣＭ素材識別情報の中から１つを取り出し、取り出した前記放送予定ＣＭ素材識別情報で特定される前記ＣＭ素材を送出するスタンバイを行い、
前記判定装置は、
前記制御装置が送信した前記スタンバイ指示を受信する第２の受信手段と、
前記第２の受信手段が受信した前記スタンバイ指示に含まれる前記放送予定ＣＭ素材識別情報で特定される前記ＣＭ素材の放送の可否を判定する第２の判定手段と、
前記第２の判定手段が放送不可と判定した場合、差替えＣＭ素材の前記ＣＭ素材識別情報を含む前記スタンバイ指示を前記ＣＭバンクに送信する第２の差替手段と、
を有し、
前記ＣＭバンクは、第２の差替え手段により送信された前記スタンバイ指示を取得すると、蓄積された前記放送予定ＣＭ素材識別情報を、前記差替えＣＭ素材の前記ＣＭ素材識別情報に差し替える送出システム。
５．  １から４のいずれかに記載の送出システムにおいて、
前記判定装置は、前記ＣＭ素材各々の放送が禁止される放送禁止条件に基づき、前記ＣＭ素材の放送の可否を判定する送出システム。
６．  １から５のいずれかに記載の送出システムにおいて、
前記判定装置は、前記ＣＭ素材各々の放送が許可される放送許可条件に基づき、前記ＣＭ素材の放送の可否を判定する送出システム。
７．  １から６のいずれかに記載の送出システムが有する判定装置。
８．  ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置が、
前記制御装置が送信した前記スタンバイ指示を受信する第１の受信工程と、
前記第１の受信工程で受信された前記スタンバイ指示に含まれる前記放送予定ＣＭ素材識別情報で特定される前記ＣＭ素材の放送の可否を判定する第１の判定工程と、
前記第１の判定工程で放送可と判定された場合、前記放送予定ＣＭ素材識別情報を含む前記スタンバイ指示を前記ＣＭバンクに送信し、前記第１の判定工程で放送不可と判定された場合、前記放送予定ＣＭ素材識別情報に代えて差替えＣＭ素材の前記ＣＭ素材識別情報を含む前記スタンバイ指示を前記ＣＭバンクに送信する第１の差替工程と、
を実行する判定方法。
９．  ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置を、
前記制御装置が送信した前記スタンバイ指示を受信する第１の受信手段、
前記第１の受信手段が受信した前記スタンバイ指示に含まれる前記放送予定ＣＭ素材識別情報で特定される前記ＣＭ素材の放送の可否を判定する第１の判定手段、
前記第１の判定手段が放送可と判定した場合、前記放送予定ＣＭ素材識別情報を含む前記スタンバイ指示を前記ＣＭバンクに送信し、前記第１の判定手段が放送不可と判定した場合、前記放送予定ＣＭ素材識別情報に代えて差替えＣＭ素材の前記ＣＭ素材識別情報を含む前記スタンバイ指示を前記ＣＭバンクに送信する第１の差替手段、
として機能させるためのプログラム。
１０．  ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置が、
前記制御装置が送信した前記スタンバイ指示を受信する第２の受信工程と、
前記第２の受信工程で受信された前記スタンバイ指示に含まれる前記放送予定ＣＭ素材識別情報で特定される前記ＣＭ素材の放送の可否を判定する第２の判定工程と、
前記第２の判定工程で放送不可と判定された場合、差替えＣＭ素材の前記ＣＭ素材識別情報を含む前記スタンバイ指示を前記ＣＭバンクに送信する第２の差替工程と、
を実行する判定方法。
１１．  ＣＭ素材識別情報を含むスタンバイ指示を受信すると、前記ＣＭ素材識別情報で特定されるＣＭ素材を送出するスタンバイを行い、送出指示を受信すると、スタンバイしている前記ＣＭ素材を送出するＣＭバンクと、
放送予定のＣＭ素材の前記ＣＭ素材識別情報である放送予定ＣＭ素材識別情報を含む前記スタンバイ指示、及び、前記送出指示を送信する制御装置と、
前記制御装置が送信した前記スタンバイ指示を取得し、取得した前記スタンバイ指示に含まれる前記放送予定ＣＭ素材識別情報で特定される前記ＣＭ素材の放送の可否を判定し、判定結果に応じた前記スタンバイ指示を前記ＣＭバンクに送信する判定装置と、
を有する送出システムの前記判定装置を、
前記制御装置が送信した前記スタンバイ指示を受信する第２の受信手段、
前記第２の受信手段が受信した前記スタンバイ指示に含まれる前記放送予定ＣＭ素材識別情報で特定される前記ＣＭ素材の放送の可否を判定する第２の判定手段、
前記第２の判定手段が放送不可と判定した場合、差替えＣＭ素材の前記ＣＭ素材識別情報を含む前記スタンバイ指示を前記ＣＭバンクに送信する第２の差替手段、
として機能させるためのプログラム。
【符号の説明】
【０１３１】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１      送出システム
１０    ＣＭバンク
２０    制御装置
３０    判定装置
３１    第１の受信部
３２    第１の判定部
３３    第１の差替部
３４    第２の受信部
３５    第２の判定部
３６    第２の差替部
【図１】
0006741249.tif 000002
【図２】
0006741249.tif 000003
【図３】
0006741249.tif 000004
【図４】
0006741249.tif 000005
【図５】
0006741249.tif 000006
【図６】
0006741249.tif 000007
【図７】
0006741249.tif 000008
【図８】
0006741249.tif 000009
【図９】
0006741249.tif 000010
【図１０】
0006741249.tif 000011
【図１１】
0006741249.tif 000012
【図１２】
0006741249.tif 000013
【図１３】
0006741249.tif 000014
【図１４】
0006741249.tif 000015
【図１５】
0006741249.tif 000016
【図１６】
0006741249.tif 000017